(57)【要約】【課題】メータユニットへの取付け・取外しが極めて簡単で、且つ、確実に行い得る優れた作業性並びに低コストを実現し、しかも、寒冷地等における水凍結によるトラブルを確実に防止し得るメータユニット用保温カバーを提供する。【解決手段】左右の分割部材２２，２３を突き合わせてカバー本体２１を構成する。カバー本体２１には、水道用メータＭの表示部Ｍ３位置に開口部２１ａを形成し、この開口部２１ａの近傍にヒンジ部２１ｂを設け、この開口部２１ａを被蓋するカバー蓋２４に形成したヒンジ部位２４ａと前記ヒンジ部２１ｂとでカバー蓋２４を回動自在に設ける。このヒンジ部位２４ａとヒンジ部２１ｂでカバー蓋２４の被蓋状態から回動範囲にわたって前記左右の分割部材２２，２３を挟持させたメータユニット用保温カバーである。【選択図】          図３
2006084420.tif 000002
【特許請求の範囲】
【請求項１】
少なくとも一次側に止水栓と二次側に逆止弁を設けた水道用メータ装着用のメータユニットを包囲して保温するための保温カバーであって、左右の分割部材を突き合わせてカバー本体を構成し、このカバー本体には、水道用メータの表示部位置に開口部を形成し、この開口部の近傍にヒンジ部を設け、この開口部を被蓋するカバー蓋に形成したヒンジ部位と前記ヒンジ部とでカバー蓋を回動自在に設けると共に、このヒンジ部位とヒンジ部でカバー蓋の被蓋状態から回動範囲にわたって前記左右の分割部材を挟持させるようにしたことを特徴とするメータユニット用保温カバー。
【請求項２】
前記カバー本体のヒンジ部はヒンジピンであり、カバー蓋のヒンジ部位は前記ヒンジピンを係合する係合溝である請求項１に記載のメータユニット用保温カバー。
【請求項３】
請求項２における係合溝は、カバー本体への蓋の嵌合方向と平行に形成したメータユニット用保温カバー。
【請求項４】
少なくとも一次側に止水栓と二次側に逆止弁を設けた水道用メータ装着用のメータユニットを包囲して保温するための保温カバーであって、左右の分割部材を突き合わせて構成されるメータユニットの主要部分を包囲して保温するカバー部材と、前記止水栓を包囲して保温する止水栓保温部材と、この止水栓保温部材と前記カバー部材との間に位置するエルボ等の配管部を包囲して保温する配管保温部材とを個別に装着したことを特徴とするメータユニット用保温カバー。
【請求項５】
前記配管保温部材を装着するための装着用切欠部を前記カバー部材の端部面に形成した請求項４に記載のメータユニット用保温カバー。
【請求項６】
前記配管保温部材は、垂直状のエルボ配管部を包囲するものである請求項４又は５に記載のメータユニット用保温カバー。
【請求項７】
前記配管保温部材は、左右の何れの方向に向けたエルボ配管部に共用して包囲できるようにした請求項４又は５に記載のメータユニット用保温カバー。
【請求項８】
前記配管保温部材は、直管配管を包囲するものである請求項４又は５に記載のメータユニット用保温カバー。
【発明の詳細な説明】
【技術分野】
【０００１】
本発明は、水道使用量を計量するための水道用メータ等を被覆して保温するメータユニット用保温カバーに関し、例えば、集合住宅の各戸口付近に設けられているパイプシャフト内に設置された水道用メータ等を保温するメータユニット用保温カバーに関する。
【背景技術】
【０００２】
従来より、集合住宅などの戸口付近には、パイプシャフトと呼ばれる収納スペースが設けられており、この収納スペース内に水道使用量を計量するための水道用メータを設けている。この場合、パイプシャフト内のスペースは狭くなっているため接続作業が困難であり、従って、最近はメータユニットと呼ばれる水道用メータをユニット化したユニットごと接続するようにしている。水道用メータは、各水道を管理する事業体の管理下で維持管理メンテナンスが行われており、この水道用メータは、計量法で定めた所定期間経過後に交換する必要があることから、ネジ固定式や圧着固定式などの固定手段によってメータユニット本体に交換可能に取付けられている。
【０００３】
ネジ固定式メータユニットは、メータユニット本体の両側に設けたナットの内周雌ネジ部と、水道用メータの両端の外周雄ネジ部とを螺合する構造であり、工具を用いて接続・取外し作業を行っている。一方、圧着固定式メータユニットは、ベースの両端に水道用メータを支持する部材をそれぞれ配置し、一方側の支持部材によって水道用メータの一端側を押圧し、両側の支持部材間に水道用メータを挟持固定するようにしたものである。この固定方式には、例えば、回転ハンドルを回転させて支持部材を押圧するものがある。この場合、専用工具を必要とすることなく手動で接続して容易に着脱作業ができるというメリットがある。更に、狭い場所や暗い場所でも作業が簡単であり、寒冷地などでも迅速に接続・取外し作業を行うことができる。また、ベースに固定できるため配管強度を強くでき、コンパクト化も可能である。
【０００４】
ところで、水道用メータは、寒冷地で使用したり冬季に温度が低下したりすると、本体内の水が凍結し、この凍結によって破壊するおそれがある。このため、通常、水道用メータにはこの水道用メータを保温する保温材の装着が義務付けられ、メータユニットを用いて水道用メータを接続した場合にも、各設置条件下での水道用メータへの保温カバーの装着が義務付けられている。
【０００５】
メータユニットに接続された水道用メータを保温するための保温カバーとしては、例えば、発泡ポリエチレンで製造され、内部にメータユニットを収受可能なスペースを備えたカバー本体と、メータの表示部を覆うメータ部蓋と、止水栓の操作ハンドルを覆う止水栓部蓋とを含み、ベースの取付け部がカバー本体の内部から外部へ挿通される取付け部挿通孔と、止水栓と逆止弁に接続される配管の端部が挿通可能な配管挿通孔とを備え、ベースの長手方向に左右に分割された略左右対称な２つの半部分により構成されているメータユニット用保温カバーがある（例えば、特許文献１参照。）。
【特許文献１】特開２００２−８８８２７号公報
【発明の開示】
【発明が解決しようとする課題】
【０００６】
しかしながら、上記特許文献をはじめ、従来の保温カバーは、カバー本体を構成する左右二つの半部分をメータユニットに取付けした際、その分割面を面状ファスナーを用いて貼付することで、左右二つの半部分を取付保持する構造であるため、保温カバー自体が高価なものとなっていた。しかも、特開２００２−８８８２７号公報にあっては、保温カバーを取付ける際、先ず、左半部分（或は右半部分）をメータユニットに取付けた状態でメータ部蓋と止水栓部蓋の各軸部を軸孔に嵌めておき、この状態でカバーの右半部分（或は左半部分）を取付ける必要があり、また、左半部分と右半部分の取付け後の状態を維持するために面状ファスナーで固定する必要があるため、各軸部の位置合せやメータ（代用管）交換時に行う面状ファスナーの貼付・取外しは、作業者にとって極めて手間であった。しかも、パイプシャフト内は暗所であることから、面状ファスナーを適正に貼付けし難い状況にある。
【０００７】
また、従来の保温カバーは、止水栓を含むメータユニット全体を左右二つの半部分で包囲するため、配管設置後のメータ（又は代用管）交換の際、交換作業箇所とは関係しない止水栓保温部分まで脱衣しなければならず、しかも、メータユニットの一次側給水配管が、少なくとも一次側の配管をメータ軸心に対して水平右向き又は左向きに接続する、いわゆる横引き配管の場合、配管設置後のメータ（代用管）交換の際、保温カバーを構成する左右二つの半部分のうち、どちらか一方は一次側給水配管の保温材や、止水栓部蓋保温材が干渉して、外すことができないという構造上の問題も有していた。
【０００８】
本発明は、上記した実情に鑑み、鋭意検討の結果開発に至ったものであり、その目的とするところは、メータユニットへの取付け・取外しが極めて簡単で、且つ、確実に行い得る優れた作業性並びに低コストを実現し、しかも、寒冷地等における水凍結によるトラブルを確実に防止し得るメータユニット用保温カバーを提供することにある。
【課題を解決するための手段】
【０００９】
上記目的を達成するため、請求項１に係る発明は、少なくとも一次側に止水栓と二次側に逆止弁を設けた水道用メータ装着用のメータユニットを包囲して保温するための保温カバーであって、左右の分割部材を突き合わせてカバー本体を構成し、このカバー本体には、水道用メータの表示部位置に開口部を形成し、この開口部の近傍にヒンジ部を設け、この開口部を被蓋するカバー蓋に形成したヒンジ部位と前記ヒンジ部とでカバー蓋を回動自在に設けると共に、このヒンジ部位とヒンジ部でカバー蓋の被蓋状態から回動範囲にわたって前記左右の分割部材を挟持させるようにしたメータユニット用保温カバーである。
【００１０】
請求項２に係る発明は、前記カバー本体のヒンジ部はヒンジピンであり、カバー蓋のヒンジ部位は前記ヒンジピンを係合する係合溝であるメータユニット用保温カバーである。
【００１１】
請求項３に係る発明は、請求項２における係合溝をカバー本体への蓋の嵌合方向と平行に形成したメータユニット用保温カバーである。
【００１２】
請求項４に係る発明は、少なくとも一次側に止水栓と二次側に逆止弁を設けた水道用メータ装着用のメータユニットを包囲して保温するための保温カバーであって、左右の分割部材を突き合わせて構成されるメータユニットの主要部分を包囲して保温するカバー部材と、前記止水栓を包囲して保温する止水栓保温部材と、この止水栓保温部材と前記カバー部材との間に位置するエルボ等の配管部を包囲して保温する配管保温部材とを個別に装着したメータユニット用保温カバーである。
【００１３】
請求項５に係る発明は、前記配管保温部材を装着するための装着用切欠部を前記カバー部材の端部面に形成したメータユニット用保温カバーである。
【００１４】
請求項６に係る発明は、前記配管保温部材は、垂直状のエルボ配管部を包囲するものであるメータユニット用保温カバーである。
【００１５】
請求項７に係る発明は、前記配管保温部材は、左右の何れの方向に向けたエルボ配管部に共用して包囲できるようにしたメータユニット用保温カバーである。
【００１６】
請求項８に係る発明は、前記配管保温部材は、直管配管を包囲するものであるメータユニット用保温カバーである。
【発明の効果】
【００１７】
請求項１に係る発明によると、左右の分割部材から成るカバー本体にカバー蓋を組付けるのみで、分割部材の突き合わせ状態は確実に保持されるので、従来のような面状ファスナー等は不要となり、メータユニットへの取付け・取外し作業を極めて簡単に行えるようになった。しかも、面状ファスナー等の保持部材を不要としたことで、製造コストの削減が可能となり、作業性並びに経済性にも優れたメータユニット用保温カバーとして提供することが可能となった。また、請求項２、３に係る発明によると、カバー蓋の型構造が簡単であるので製造し易く、しかも、このヒンジ機構によって容易にカバー本体にカバー蓋を組付けすることができる。
【００１８】
請求項４、５に係る発明によると、水道用メータやベース体、逆止弁等のメータユニットの主要部分と、メータユニット一次側に接続される止水栓と、エルボ等の配管部とを、それぞれ個別の保温部材で装着しているので、他の保温部材に干渉することなく、所望の保温部材だけ取り外すことが可能となり、優れた作業性を実現することはもとより、内部の水の凍結によるトラブルを確実に防止する優れた保温効果を発揮し得るメータユニット用保温カバーの提供が可能となった。
【００１９】
請求項６に係る発明によると、メータユニットに垂直状のエルボ配管部が接続されている場合でも、これに対応した保温カバーを容易に構成することができる。また、請求項７に係る発明によると、メータユニットに左向きの配管部、或は右向きの配管部が接続されている場合でも、共用可能な配管保温部材であるので、１つの配管保温部材で、左向き、右向きに関係なく即座に対応し得る。また、請求項８に係る発明によると、メータユニットに直管配管部が接続されている場合でも、これに対応した保温カバーを容易に構成することができる。これにより、あらゆる配管の向きに対応し得るメータユニット用保温カバーとして提供することが可能である。
【発明を実施するための最良の形態】
【００２０】
本発明におけるメータユニット用保温カバーの実施形態を挟持固定式のメータユニットに適用して説明する。図１は、メータユニットの一例を示した構造説明図であり、先ず、メータユニットについて説明すると、同図において、メータユニット１は、両側に保持部２，３を立設したダクタイル鋳鉄製のベース体４と、この保持部２，３の夫々に対向させて設けた一次側支持機構５と二次側支持機構６等から構成されている。なお、本実施形態で示すメータユニット１を含む一次側及び二次側配管の構成は一例であって、例えば、メータユニット１については、スライド機構を具備した挟持固定式の他に、ネジ固定式などの支持機構を具備するものであってもよい。
【００２１】
本例で示す一次側支持機構５の構造について説明すると、保持部２に固着された一次側筒状部材７と、この一次側筒状部材７に内挿され、水道用メータＭの一次側接続端部Ｍ１を支受けする円孤状の受け面８を突設したスライド部材９と、このスライド部材９を進退させる回転部材１０等から成り、前記受け面８の最下部には、スライド部材９の進退方向へ延びる図示しない案内溝を有し、この案内溝にベース体４上面に突設した円柱状部１１を係合させることで、回転部材１０の回転に伴ってスライド部材９が回転するのを防止しながら、スライド部材９を進退方向へ案内するように構成されている。
【００２２】
前記回転部材１０の内周には、一次側筒状部材７の外周に形成した雄ねじ部７ａと螺合する図示しない雌ねじ部を形成している。回転部材１０が進出する際には、回転部材１０がスライド部材９を押圧する。回転部材１０のメータ側端部内周には、スライド部材９を係止するための図示しない止め輪を嵌着しており、回転部材１０の回転後退に伴って、スライド部材９も一緒に後退させるよう構成されている。また、回転部材１０の外周面は、回転部材１０を手動操作するためのフィン状の把持部１０ａを放射状に設けている。
【００２３】
本例で示す二次側支持機構６の構造について説明すると、保持部３に固着された二次側筒状部材１２と、この二次側筒状部材１２のメータ側外周に螺着され、水道用メータＭの二次側接続端部Ｍ２を支受けする円弧状の受け面１３を突設したナット部材１４と、このナット部材１４の螺着により二次側筒状部材１２の内部に収容保持される逆止弁１５等から構成されており、前記逆止弁１５の弁体はスプリングにより、図示しない一次側の環状弁座に付勢されて弁閉状態となる構造を有している。また、図１に示すように、メータユニット１の一次側には、９０度に屈曲したエルボ配管部１６を設け、このエルボ配管部１６の上流側にはユニオンナット１６ａを介して止水栓１７を接続している。図中１８は、止水栓１７の操作ハンドルである。なお、メータユニットの一次側に接続される配管部は、本例に示す上向きの配管部に限定するものではなく、後述するように、左向き、右向きの配管部、更には直管配管であってもよい。
【００２４】
次に、メータユニット用保温カバーについて説明する。図２は、本発明における保温カバーの装着前の状態を示す分離斜視図であり、図３は、保温カバーの装着が完了した状態を示す正面図である。同図において、図中２０は、メータユニット１の保温カバーであり、その構成は、メータユニット１の主要部分、本例では水道用メータＭとベース体４及び逆止弁１５を包囲して保温する二分割から成るカバー本体（カバー部材）２１と、このカバー本体２１の上面開口部２１ａを開閉自在に被蓋するカバー蓋２４と、前記止水栓１７を包囲して保温する止水栓保温部材２５と、止水栓１７の操作ハンドル１８を包囲して保温するハンドル保温部材２８、及び前記止水栓保温部材２５とカバー本体２１との間に位置するエルボ等の配管部１６を包囲して保温する配管保温部材２９とを含んで成る。なお、本例では発泡ポリスチレンとポリエチレンを混合させた発泡スチロール材を用いて成形しており、この場合、表面が滑らかであり柔軟性に優れている。無論、その他の材料を用いて保温部材を成形してもよい。
【００２５】
図２、図３に示すように、前記カバー本体２１は、左右の分割部材２２，２３を突き合わせて構成され、カバー本体２１の上面には、メータ表示部Ｍ３を視認可能とする開口部２１ａを形成し、この上面開口部２１ａの近傍にヒンジ部２１ｂを設けており、上面開口部２１ａを被蓋するカバー蓋２４には、カバー本体２１への嵌合方向と平行にヒンジ部位２４ａを設けている。このヒンジ部位２４ａと前記ヒンジ部２１ｂとで、カバー蓋２４を回動自在に設けると共に、このヒンジ機構はカバー蓋２４の被蓋状態から回動範囲にわたって前記左右の分割部材２２，２３を挟持し得る構造を有している。
【００２６】
図４（ａ）、（ｂ）は、カバー本体とカバー蓋との組付状態を示す要部斜視図である。同図に示す場合、カバー本体２１のヒンジ部はヒンジピン２１ｂであり、このヒンジピン２１ｂは、左右の分割部材２２，２３の外側に設けた円柱突部２２ｂ，２３ｂによって構成され、図４（ｂ）に示すように、ヒンジ部位であるカバー蓋２４の係合溝２４ａにカバー本体２１のヒンジピンを嵌め込んで、カバー蓋２４を回動自在に設けると共に、カバー蓋２４の被蓋状態から回動範囲にわたって前記左右の分割部材２２，２３を挟持し得る構造である。従って、カバー蓋２４を組付けるのみで、左右の分割部材２２，２３の突き合わせ状態は確実に保持されることになる。
【００２７】
また、ヒンジ機構は前述したものに限定することはない。例えば、図５（ａ）、（ｂ）は、カバー本体とカバー蓋との組付状態の他例を示す要部斜視図であり、同一部材には同一符合を付して説明すると、図４に示すカバー蓋２４では、カバー蓋２４を水平にした状態でヒンジピン２１ｂを嵌め入れ可能とする係合溝２４ａを形成しているのに対し、図５（ａ）に示すように、本例ではカバー蓋３０を直立した状態でヒンジピン２１ｂを嵌め入れ可能とする係合溝３０ａを形成している。カバー蓋２４の場合、蓋の型構造が簡単であるので製造し易く、組付けが簡単であるのに対し、カバー蓋３０の場合には、カバー蓋２４と比べて開閉操作時に蓋が外れ難いというメリットがある。
【００２８】
図６は、カバー本体とカバー蓋との組付状態の更に他例を示す要部斜視図である。同一部材には同一符合を付して説明すると、カバー本体２１のヒンジ部は係合溝２１ｃであり、この係合溝２１ｃは、左右の分割部材２２，２３の上側に設けた溝部２２ｂ，２３ｂによって構成され、図６（ｂ）に示すように、この係合溝２１ｃにヒンジ部位であるカバー蓋３１のヒンジピン３１ａを嵌め込んで、カバー蓋３１を回動自在に設けると共に、カバー蓋３１の被蓋状態から回動範囲にわたって前記左右の分割部材２２，２３を挟持し得る構造である。従って、前述したものと同様、カバー蓋３１を組付けるのみで、左右の分割部材２２，２３の突き合わせ状態は確実に保持されることになる。この場合には、カバー蓋３１とカバー本体２１との組付けに際して、組付け方向に制限がなく、また、凹凸が少ないので壊れ難いというメリットがある。
【００２９】
また、前記分割部材２２，２３の突き合わせ座面２２ａ，２３ａに、分割面３２の長さ方向に沿って凸部並びに凹部を形成することで、これらを互いに係合させて分割部材２２，２３同士のより強固な組付けを行うことができる。この凸部並びに凹部は後述する二分割から成る止水栓保温部材２５にも形成しており、その強固な組付けを図っている。
【００３０】
図２、図３に示すように、止水栓保温部材２５は、左右の分割部２６，２７を突き合わせて構成され、止水栓１７の一次側に接続する一次側配管を挿通させる一次側開口面２５ａと、止水栓１７の二次側を挿通させる二次側開口面２５ｂ、及び止水栓１７の操作ハンドル軸部１７ａを挿通させる開口面２５ｃを形成している。二次側開口面２５ｂの端部縁には突部２５ｄを形成し、後述する配管保温部材２９の上面に形成した溝部２９ｄに嵌合するようにしている。また、ハンドル保温部材２８は内部に操作ハンドル１８を嵌め込んで包囲し、これを保温する。
【００３１】
特許文献１に記載のメータユニット用保温カバーにおいては、止水栓部蓋は一体構造であることから、一次側の配管をメータ軸心に対して水平右向き又は左向きに接続する、いわゆる横引き配管の場合、止水栓部蓋に一次側配管を挿通した上で、メータユニットの配管作業を行わなければならないが、上記止水栓保温部材２５は、左右の分割部２６，２７により構成されていることから、メータユニットの配管接続作業後、とりわけ、カバー本体２１の装着作業完了後においても、止水栓１７への装着作業を行うことができる。
【００３２】
図２、図３に示すように、前記カバー本体（カバー部材）２１の一次側端部面には切欠部２１ｄが形成されている。この切欠部２１ｄは装着用切欠部であり、エルボ配管部１６を包囲して保温する配管保温部材２９を一体的に組付けする。この配管保温部材２９は上向き（垂直状）のエルボ配管部１６を包囲するのに好適な構造を有しており、カバー本体２１に組付けする際には、図２に示すように、配管保温部材２９の底部に設けた溝部２９ｃが、切欠部２１ｄの平面部２１ｆの内方縁付近に設けられた突条部２１ｇにガイドされる状態で、配管保温部材２９を平面部２１ｆ上でスライドさせた後、開口面２９ａの開口縁部に形成した係合片２９ｂを前記装着切欠部２１ｄの内壁に嵌め入れ、この装着切欠部２１ｄから上向きに露出したエルボ配管部１６を内部に収容する。なお、図中２１ｅは、カバー本体２１の二次側側面に形成された二次側開口部である。
【００３３】
図７は、横向きの配管部を保温する配管保温部材を示す斜視図であり、図８は、横向きの配管部を接続したメータユニットに保温カバーを装着した状態を示す斜視図である。同図に示すように、本例に示す配管保温部材３３は断面Ｌ字形を呈し、右向き配管としてカバー本体２１に組付けする際には、配管保温部材３３の底部３３ｅに設けた溝部３３ｂが切欠部２１ｄの突条部２１ｇにガイドされる状態で、配管保温部材３３を平面部２１ｆ上でスライドさせた後、カバー本体２１側の開口縁部に形成したＬ字形の係合片３３ａを前記装着切欠部２１ｄの内壁に嵌め入れ、この装着切欠部２１ｄから横向きに露出したエルボ配管部１６を内部に収容する。
【００３４】
配管保温部材３３の一次側配管側の開口部３３ｃは、当接部（溝部）３３ｄに止水栓保温部材２５の突部２５ｄが嵌合・密接することにより覆われる。この状態において、止水栓保温部材２５の一部は、図８、図９に示すように、カバー本体２１の装着切欠部２１ｄの平面部２１ｆに載置されている。ここで、止水栓保温部材２５は、装着切欠部２１ｄの突条部２１ｇの高さｔ分だけ、止水栓１７のハンドル１８側に移動できるよう、左右の分割部２６，２７の上面に切欠部２５ａを設けている。
【００３５】
配管保温部材３３を左向き配管として、カバー本体２１に組付けする際には、図７において、配管保温部材３３をメータの軸心ｘを中心軸として、時計回りに９０度回転させる。これにより、右向き配管における配管保温部材３３の一次側配管側の開口部３３ｃが底部となり、止水栓保温部材２５との当接部３３ｄがカバー本体２１の突条部２１ｇにガイドされる溝部として機能する一方、右向き配管における底部３３ｅが一次側配管側の開口部となり、溝部３３ｂが止水栓保温部材２５との当接部（突部２５ｄとの嵌合部）として機能し、カバー本体２１の装着用切欠部２１ｄへの装着が可能となる。この配管保温部材３３を用いれば、図９、図１０に示すように、メータユニット１の右向きの配管部、或は左向きの配管部が接続されている場合でも、１つの配管保温部材３３で、右向き、左向きに関係なく、即座に対応することができる。ここで、図９、図１０における符号４０は、止水栓１７の一次側に接続される配管３９の保温カバーである。
【００３６】
また、カバー本体２１と配管保温部材２９，３３、及び配管保温部材２９，３３と止水栓保温部材２５とは、それぞれ嵌合構造により密接しているので、メータユニット１が外部に露出することなく、保温カバー２０による保温効果を発揮できると共に、各保温部材の位置を保持することができる。なお、メータユニットに直管配管部が直線方向に敷設されている場合には、管軸方向を開口させた図示しない配管保温部材を用いて配管部を包囲し、本発明である保温カバー２０を構成する。
【００３７】
次に、保温カバー２０の取付手順について説明すると、パイプシャフトの床に立設されたアンカーボルト３４をベース体４の切欠きに通して、これにナット３５を用いて仮留め状態にする。一次側配管を止水栓１７の上流側に、二次側配管を逆止弁１５の下流側に夫々接続した後、メータユニット１をアンカーボルト３４に本固定する。続いて、保温カバー２０の取付けを行う。
【００３８】
先ず、止水栓保温部材２５から取付ける。止水栓保温部材２５を構成する左右の分割部２６，２７のうち、何れか一方を止水栓１７に取付け、続いてもう一方を取付ける。このとき、分割部２６，２７の突き合わせ座面には、分割面に沿って凸部並びに凹部を形成しているので、強固な突き合わせ保持状態が実現される。
【００３９】
次いで、カバー本体２１を取付ける。カバー本体２１を構成する左右の分割部材２２，２３のうち、何れか一方をメータユニット１に取付け、続いてもう一方を取付ける。止水栓保温部材２５と同様、分割部材２２，２３の突き合わせ座面２２ａ，２３ａには、分割面３２の長さ方向に沿って凸部並びに凹部を形成しているので、強固な突き合わせ保持状態が実現される。この分割部材２２，２３の突き合わせにより形成された上面開口部２１ａの上方にカバー蓋２４を水平状態にして位置させ、上方からカバー蓋２４のヒンジ部位２４ａを上面開口部２１ａ近傍のヒンジ部２１ｂに差し込む。これにより、分割部材２２，２３の突き合わせ状態は確実に保持されることになり、カバー本体２１とカバー蓋２４との組付けが完了する。
【００４０】
続いて、配管保温部材２９（３３）を取付ける。上向きのエルボ配管部１６を包囲する場合には、前述した配管保温部材２９を用意して、カバー本体２１の装着切欠部２１ｄへ嵌め込む。一方、右向き、左向きの配管部を包囲する場合には、前述した配管保温部材３３を用意して、配管部の向きに対応した状態で装着切欠部２１ｄへ嵌め込む。また、直管配管を包囲する場合には、図示しないが、例えば、断面コ字形を呈した配管保温部材を用意して、開口面を下方に向けた状態で配管部の上方から装着切欠部２１ｄへ嵌め込む。その後、ハンドル保温部材２８を操作ハンドル１８に取付けて、保温カバー２０の取付けが完了する。本発明である保温カバー２０の取付けによって、メータユニット１には優れた保温効果が発生し、寒冷地等においても、その効果を如何なく発揮する。
【００４１】
次に、メータ交換時における保温カバーの取外し手順について説明する。上向きのエルボ配管部１６を包囲するのに好適な配管保温部材２９を装着した保温カバー２０では、先ず、配管保温部材２９をカバー本体２１の装着切欠部２１ｄからメータ軸心方向に取り外すと共に、カバー蓋２４をカバー本体２１から上方に取り外す。これらの部材を取り外すことにより、カバー本体２１は左右の分割部材２２，２３に分割可能となり、メータユニット１から保温カバー２０を取り外すことができ、メータの交換作業を容易に行うことができる。この際、止水栓保温部材２５は左右の分割部材２２，２３に干渉しないので、取り外す必要がない。
【００４２】
右向きの配管部を包囲するのに好適な配管保温部材３３を装着した保温カバー２０では、配管保温部材３３をカバー本体２１の装着切欠部２１ｄからメータ軸心方向に取り外すと共に、カバー蓋２４をカバー本体２１から上方に取り外す。これらの部材を取り外すことにより、カバー本体２１は左右の分割部材２２，２３の突き合わせ保持状態は解除される。次いで、止水栓保温部材２５をカバー本体２１の突条部２１ｇの高さｔ分だけ上方に移動することにより、カバー本体２１は左右の分割部材２２，２３が分割可能となる。従って、止水栓保温部材２５は、左右の分割部材２２，２３に干渉しないので、取り外す必要がない。なお、カバー本体２１に突条部２１ｇを設けない形状とすれば、止水栓保温部材２５を上方に移動することなく、カバー本体２１の左右の分割部材２２，２３が分割可能となる。
【００４３】
このように、本発明の保温カバー２０によれば、保温カバー２０を構成する保温部材相互の干渉、とりわけ、止水栓保温部材と他の保温部材との干渉なく、配管保温部材とカバー蓋を取り外すことができ、これにより、カバー本体（カバー部材）の左右の分割部材を取り外すことが可能となる。
【図面の簡単な説明】
【００４４】
【図１】メータユニットの一例を示した正面図である。
【図２】本発明である保温カバーの装着前の状態を示す分離斜視図である。
【図３】本発明である保温カバーの装着が完了した状態を示す正面図である。
【図４】カバー本体とカバー蓋との組付状態を示す要部斜視図である。
【図５】カバー本体とカバー蓋との組付状態の他例を示す要部斜視図である。
【図６】カバー本体とカバー蓋との組付状態の更に他例を示す要部斜視図である。
【図７】横向きの配管部を保温する配管保温部材を示す斜視図である。
【図８】横向きの配管部を接続したメータユニットに保温カバーを装着した状態を示す斜視図である。
【図９】右向きの配管部を接続したメータユニットに保温カバーを装着した状態を示す図８におけるＡ−Ａ線断面図である。
【図１０】左向きの配管部を接続したメータユニットに保温カバーを装着した状態を示す断面図である。
【符号の説明】
【００４５】
１  メータユニット
１５  逆止弁
１６  配管部（エルボ配管部）
１７  止水栓
１８  操作ハンドル
２０  保温カバー
２１  カバー本体
２１ａ  開口部（上面開口部）
２１ｂ  ヒンジ部（ヒンジピン）
２１ｄ  装着用切欠部
２２，２３  分割部材
２４  カバー蓋
２４ａ  ヒンジ部位（係合溝）
２５  止水栓保温部材
２９  配管保温部材
Ｍ  水道用メータ
Ｍ３  メータ表示部
【図１】
2006084420.tif 000003
【図２】
2006084420.tif 000004
【図３】
2006084420.tif 000005
【図４】
2006084420.tif 000006
【図５】
2006084420.tif 000007
【図６】
2006084420.tif 000008
【図７】
2006084420.tif 000009
【図８】
2006084420.tif 000010
【図９】
2006084420.tif 000011
【図１０】
2006084420.tif 000012